【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
塞栓コイル送達システムであって、前記塞栓コイル送達システムは、
第１の接点と第２の接点とを含むカテーテルと、
リンクによって分離される２つの区分を含む塞栓コイルであって、
前記リンクが、近位導電性スリーブと、遠位導電性スリーブと、前記近位導電性スリーブおよび前記遠位導電性スリーブを通過するモノフィラメントとを含み、前記モノフィラメントが、前記リンクの近位構成要素および遠位構成要素に接続される
ことを特徴とする、塞栓コイルと
を備え、
前記カテーテルの前記第１の接点および前記第２の接点が、前記リンクの前記近位導電性スリーブおよび前記遠位導電性スリーブと電気連通するように整合されると、回路が完成され、前記モノフィラメントは、前記回路が完成されたことに応答して分解可能であり、前記塞栓コイルの前記２つの区分は、前記モノフィラメントの分解に応答して、相互に脱離する、塞栓コイル送達システム。
【請求項２】
前記カテーテルの前記第１の接点および前記第２の接点は、反対極性を有する、請求項１に記載の塞栓コイル送達システム。
【請求項３】
前記リンクは、ヒータを含む、請求項１に記載の塞栓コイル送達システム。
【請求項４】
前記ヒータは、ヒータコイルである、請求項３に記載の塞栓コイル送達システム。
【請求項５】
前記モノフィラメントは、前記ヒータを通過する、請求項３に記載の塞栓コイル送達システム。
【請求項６】
前記モノフィラメントは、ばね内にかつ前記ばねを通して延在する、請求項３に記載の塞栓コイル送達システム。
【請求項７】
ユーザインターフェースをさらに備え、前記カテーテルの前記第１の接点および前記第２の接点が前記リンクの前記近位導電性スリーブおよび前記遠位導電性スリーブと整合されると、視覚的手掛かりまたは音声的手掛かりが前記ユーザインターフェース上に提供される、請求項１に記載の塞栓コイル送達システム。
【請求項８】
前記塞栓コイル送達システムとインターフェースをとる制御システムおよび電圧源を格納するユーザインターフェースをさらに備え、前記リンクが適切に整合されると、脱離シーケンスが始まる、請求項１に記載の塞栓コイル送達システム。
【請求項９】
前記リンクは、前記近位導電性スリーブと前記遠位導電性スリーブとの間に絶縁スリーブを含む、請求項１に記載の塞栓コイル送達システム。
【請求項１０】
前記第１の接点および前記第２の接点は、前記カテーテルの壁内に埋め込まれる、請求項１に記載の塞栓コイル送達システム。
【請求項１１】
前記第１の接点および前記第２の接点は、導電性先端を含む、請求項１０に記載の塞栓コイル送達システム。
【請求項１２】
前記リンクは、前記遠位導電性スリーブに接続されるキャップを含む、請求項１に記載の塞栓コイル送達システム。
【請求項１３】
前記キャップは、前記キャップが勝手に血管系中に脱離することを防止するために、前記塞栓コイル区分のうちの１つに機械的に添着される、請求項１２に記載の塞栓コイル送達システム。
【請求項１４】
一方の塞栓コイル区分は、前記近位導電性スリーブに溶接され、他方の塞栓コイル区分は、前記キャップに溶接される、請求項１２に記載の塞栓コイル送達システム。
【請求項１５】
前記第１の接点および前記第２の接点と前記近位導電性スリーブおよび前記遠位導電性スリーブとの間の適切な整合は、抵抗を測定することによって決定される、請求項１に記載の塞栓コイル送達システム。
【手続補正２】
【補正対象書類名】明細書
【補正対象項目名】００１９
【補正方法】変更
【補正の内容】
【００１９】
別の実施形態では、カテーテルは、金属ハイポチューブまたは薄く平坦な金属シートを切断するレーザによって形成される、加熱コイルを含む。いくつかの加熱コイルは、相互に内側に重複する層において、カテーテルの長さに沿って軸方向に直列して、または相互に隣接かつ並列して配列されることができる。
本発明は、例えば、以下を提供する。
（項目１）
カテーテルであって、
第１の極性をもつ接点と、
前記第１の極性をもつ接点に近接する、反対極性の１つまたはそれを上回る接点と、
を備え、前記接点は、前記カテーテルを通して送達される、１つまたはそれを上回るデバイスと電気的に相互作用する、カテーテル。
（項目２）
前記カテーテルは、塞栓コイルを送達し、これと相互作用するように使用される、項目１に記載のカテーテル。
（項目３）
前記カテーテルは、ガイドワイヤを送達し、これと相互作用するように使用される、項目１に記載のカテーテル。
（項目４）
前記接点は、１つまたはそれを上回るワイヤを介して、ユーザインターフェースに接続される、項目１に記載のカテーテル。
（項目５）
前記ユーザインターフェースは、前記カテーテル表面内に埋め込まれた１つまたはそれを上回るワイヤを介して、前記接点に接続される、項目４に記載のカテーテル。
（項目６）
カテーテルにおいて使用される接点であって、
前記カテーテルの表面内に埋め込まれ、第１の金属物質を含む、リングと、
前記リングに接続される、１つまたはそれを上回る金属接点であって、異なる第２の金属物質を含む、１つまたはそれを上回る接点と、
を備える、接点。
（項目７）
前記第１の金属物質は、ニチロール、ステンレス鋼、およびばね鋼から成る群から選択される、項目６に記載の接点。
（項目８）
前記第２の金属物質は、金である、項目７に記載の接点。
（項目９）
塞栓コイル脱離システムであって、
１つまたはそれを上回る極性をもつ接点を備える、カテーテルと、
前記カテーテルを通して送達されるコイルであって、２つまたはそれを上回るコイル区分を備える、コイルと、
前記２つまたはそれを上回るコイル区分間に結合される、１つまたはそれを上回るリンクと、を備え、前記１つまたはそれを上回るリンクは、前記１つまたはそれを上回る極性をもつ接点と電気的に相互作用する、塞栓コイル脱離システム。
（項目１０）
前記１つまたはそれを上回るリンクは、ヒータを含む、項目９に記載のコイル脱離システム。
（項目１１）
前記１つまたはそれを上回るリンクは、張力部材を含む、項目９に記載のコイル脱離システム。
（項目１２）
前記１つまたはそれを上回るリンクは、前記張力部材をさらなる張力下に置くように構成される、１つまたはそれを上回る部材を含む、項目９に記載のコイル脱離システム。
（項目１３）
塞栓コイルであって、
２つまたはそれを上回るコイル区分と、
前記２つまたはそれを上回るコイル区分間に結合される、１つまたはそれを上回るリンクであって、
張力部材を含む、前記１つまたはそれを上回るリンクと、を備え、
前記１つまたはそれを上回るリンクは、前記張力部材をさらなる張力下に置くように構成される、１つまたはそれを上回る部材を含む、塞栓コイル。
（項目１４）
前記張力部材をさらなる張力下に置くように構成される、前記１つまたはそれを上回る部材は、前記張力部材に結合される、ヒータおよび１つまたはそれを上回るばねを含む、項目１３に記載の塞栓コイル。
（項目１５）
２つまたはそれを上回るコイル区分間に置かれる、リンクであって、
張力部材と、
前記張力部材をさらなる張力下に置くように構成される、１つまたはそれを上回る部材と、
を備える、リンク。
（項目１６）
前記張力部材をさらなる張力下に置くように構成される、前記１つまたはそれを上回る部材は、前記張力部材に結合される、ヒータおよび１つまたはそれを上回るばねを含む、項目１５に記載のリンク。
（項目１７）
操向可能カテーテルシステムであって、
１つまたはそれを上回る極性をもつ接点を備える、カテーテルと、
前記１つまたはそれを上回る接点と電気的に相互作用する、ガイドワイヤと、
を備える、操向可能カテーテルシステム。
（項目１８）
前記ガイドワイヤは、バイメタル複合物である、項目１７に記載の操向可能カテーテル。
（項目１９）
前記ガイドワイヤは、電気インパルスに応答して偏向する、項目１８に記載の操向可能カテーテル。
（項目２０）
塞栓コイルを送達する方法であって、
１つまたはそれを上回る極性をもつ接点を備えるカテーテルを、血管系内の治療部位に案内するステップと、
２つまたはそれを上回るコイル区分および１つまたはそれを上回るリンクを備える塞栓コイルを、前記カテーテルを通して押動するステップと、
前記塞栓コイルのリンクおよびカテーテル接点が電気的相互作用するように、前記塞栓コイルのリンクを、前記カテーテル接点に整合させるステップと、
前記リンクが前記カテーテル接点と整合されると、電気インパルスを送電するように、ユーザインターフェースと相互作用するステップと、
を含む、方法。
（項目２１）
カテーテルを操向する方法であって、
１つまたはそれを上回る極性をもつ接点を備える、カテーテルを提供するステップと、
前記カテーテルを通して、ガイドワイヤを押動するステップと、
前記ガイドワイヤが前記１つまたはそれを上回る接点と電気連通すると、電気インパルスを送電するために、ユーザインターフェースとの相互作用を介して、前記ガイドワイヤの遠位先端を屈曲させるステップと、
前記屈曲されたガイドワイヤの遠位先端が、所望される方向に配向されるように、前記カテーテルの近位端にトルクをかけるステップと、
を含む、方法。
（項目２２）
塞栓連鎖であって、
モノフィラメントと、
それぞれ、前記モノフィラメントが位置する通路を有する、複数の連鎖部材と、
を備え、前記複数の連鎖部材は、電気的に導電性の材料を含む、塞栓連鎖。
（項目２３）
前記連鎖部材はそれぞれ、球体である、項目２２に記載の塞栓連鎖。
（項目２４）
前記連鎖部材はそれぞれ、薬物で充填される内部管腔と、前記薬物を解放するための前記管腔中への開口とを有する、項目２２に記載の塞栓連鎖。
（項目２５）
前記モノフィラメントは、電圧が２つの隣接する連鎖部材間に印加されると、分離可能である、項目２２に記載の塞栓連鎖。
（項目２６）
塞栓コイル脱離システムであって、
複数のコイル区分と、前記複数のコイル区分をともに接続する複数の継手とを有する、塞栓コイルと、
電力供給源と電気連通する第１の電気接点を有する、カテーテルと、
前記塞栓コイルに接続され、前記電力供給源と電気連通する、プッシャと、
を備え、前記電力供給源の起動は、前記複数の継手のうちの１つを切断する、塞栓コイル脱離システム。
（項目２７）
塞栓コイル脱離システムであって、
複数のコイル区分と、前記複数のコイル区分をともに接続する複数の継手とを有する、塞栓コイルと、
電力供給源と電気連通する第１の電気接点を有し、非導電性流体で充填される、カテーテルと、
前記塞栓コイルに接続され、前記電力供給源と電気連通する、プッシャと、
を備え、前記電力供給源の起動は、前記カテーテルの外側に位置付けられる、前記複数の継手のうちの１つを電解的に切断する、塞栓コイル脱離システム。
（項目２８）
カテーテルであって、
カテーテル本体と、
前記カテーテル本体内に位置する、ヒータであって、円筒形形状を有する第１の加熱コイルと、円筒形形状を有する第２のヒータコイルとを備え、前記第１の加熱コイルは、前記第２のヒータコイル内に位置する、ヒータと、
を備える、カテーテル。
（項目２９）
カテーテルであって、
カテーテル本体と、
前記カテーテル本体内に配置される、複数の個別起動ヒータコイルと、
を備える、カテーテル。
（項目３０）
前記複数のヒータコイルは、前記カテーテルの長さに沿って、軸方向に位置付けられる、項目２９に記載のカテーテル。
（項目３１）
前記複数のヒータコイルは、相互に平行に位置付けられる、項目２９に記載のカテーテル。